(57)【要約】      （修正有）【課題】組立式油絵額を提供すること。【解決手段】本発明は、キャンバスを嵌め込んで展示するための枠構造の額縁であって、矩形の組立て枠２０と額棹部材３０とを備え、組立て枠２０は角部材と角部材同士を継合する周縁部材２２とからなり、角部材及び周縁部材２２は中空の管状に形成され、額棹部材は角額棹３１及び周縁額棹３２を備えることにより、キャンバスが張り留められる組立て枠２０を角部材及び周縁部材で構成してこれらが嵌合して組み立てられるようにし、キャンバスを支持するように角部材に角額棹を形成し、周縁部材に周縁額棹を形成し、角部材及び周縁部材を中空の管構造に形成して軽量化を図り保管、移動、切断、組立てを手軽に行うことができ、簡単な嵌合操作だけで組み上げることができ、安全で強固な組立てを行うことができる他、組立て公差が縮小されることから、組立て品質を高めることができる。【選択図】図１
2019118537.tif 000002
【特許請求の範囲】
【請求項１】
キャンバスを嵌め込んで展示するための枠構造の額縁であって、
前記キャンバスが着脱自在に嵌め込まれる矩形の組立て枠と、
前記組立て枠に形成されて前記キャンバスを支持する額棹部材と、
を備え、
前記組立て枠は、前記キャンバスの四隅に配置される角部材と、前記組立て枠が矩形の枠状に形成されるように前記角部材同士を継合する周縁部材と、をからなり、前記角部材及び前記周縁部材は中空の管状に形成され、
前記額棹部材は、前記角部材に形成される角額棹及び前記周縁部材に形成される周縁額棹からなり、前記角額棹は前記角部材と一体に形成され、前記周縁額棹は前記周縁部材と一体に形成され、
前記周縁額棹の高さは、前記角部材の壁面の厚さに見合う分だけ前記角額棹の高さよりも大きく形成されて、前記角部材に前記周縁部材を嵌め込むときに前記周縁額棹の上面と前記角部材の角額棹の上面とが同じ線上に配置されるようにすることを特徴とする組立式油絵額。
【請求項２】
前記組立て枠は、前記角部材に前記周縁部材が嵌め込まれた後、前記角部材の角額棹及び前記周縁部材の周縁額棹を互いに接着してなることを特徴とする請求項１に記載の組立式油絵額。
【請求項３】
前記周縁部材には、所定の長さだけ切断可能なように所定の間隔を隔てて切取り線が更に形成されたことを特徴とする請求項１に記載の組立式油絵額。
【請求項４】
キャンバスを嵌め込んで展示するための枠構造の額縁であって、
前記キャンバスが着脱自在に嵌め込まれる矩形の組立て枠と、
前記組立て枠に形成されて前記キャンバスを支持する額棹部材と、
を備え、
前記組立て枠は、前記キャンバスの四隅に配置される角部材と、前記組立て枠が矩形の枠状に形成されるように前記角部材同士を継合する周縁部材と、からなり、前記角部材及び前記周縁部材は中空の管状に形成され、
前記額棹部材は、前記角部材に形成される角額棹及び前記周縁部材に形成される周縁額棹からなり、前記角額棹は前記角部材と一体に形成され、前記周縁額棹は前記周縁部材と一体に形成され、
前記角部材は、内側を向く面から角部まで開放される角開放部を形成することにより、前記周縁部材が内側に嵌入するとき、前記周縁額棹が前記角開放部を介して外側に露出されるようにすることを特徴とする組立式油絵額。
【請求項５】
前記周縁額棹は、前記周縁部材の角部から隣りの側面と同じ平面をなすように外側に延設されることを特徴とする請求項４に記載の組立式油絵額。
【請求項６】
前記周縁部材は、前記隣りの側面が短辺に相当する側面であり、
前記周縁部材及び前記角部材は、直方体の横断面を有することを特徴とする請求項４に記載の組立式油絵額。
【請求項７】
前記角額棹は、前記角開放部の角部側の端部から隣りの側面と同じ平面をなすように外側に延設されることにより、前記角開放部を介して外側に露出される前記周縁額棹と重なり合うことを特徴とする請求項４に記載の組立式油絵額。
【請求項８】
前記角部材には、内側に向かって直交する両側面を結ぶために、直角三角形の平断面を有する角補強部が設けられることを特徴とする請求項４に記載の組立式油絵額。
【発明の詳細な説明】
【技術分野】
【０００１】
本発明は、組立式油絵額に係り、更に詳しくは、キャンバスが張り留められる組立て枠を角部材及び周縁部材で構成し、これらが嵌合して組み上げられるようにした組立式油絵額に関する。
【背景技術】
【０００２】
キャンバスとは、矩形の木枠に張られて油絵具で絵画を描くための画布や絵画が描かれたもののことをいい、従来の額縁は、写真や絵画などの各種の画紙を壁面に手軽にかけて鑑賞できるようになっていた。
【０００３】
矩形の枠状の額縁は、木材や押出成形可能な合成樹脂などを用いて製造するものであって、額縁は、略胴体の側断面が様々な形状を呈する小幅の棒状を有する縁取り部材を連続して所定の長さに製作し、これらの縁取り部材の横辺及び縦辺間の割合を製作すべき額縁の大きさに合わせて適当に選定し、所定の長さに裁断して各辺の縁取り部材を提供し、各辺の縁取り部材を組み合わせて製造している。
【０００４】
ところが、所定の長さに裁断された各辺の縁取り部材を矩形の枠状体に組み上げるとき、角部の処理を施すことが決して容易ではない。つまり、横辺や縦辺が遭遇する個所において各辺の縁取り部材のそれぞれの対向面に対してＶ字カット作業（４５°の切削り加工）を行って両辺が直角状態で突き合せられる必要があるが、そのＶ字カット作業は高い精度を必要とし、その加工ｄは難度の高い作業であって、通常、額縁としては、製作社から大量に供給される既製品を汎用している。製作社の既製品は、その規格寸法が予め選定されて供給されるものであって、様々な画紙の使用に不便さを伴うなど多大な問題があった。
【発明の概要】
【発明が解決しようとする課題】
【０００５】
本発明は、上述したような従来の問題を解消するために案出されたものであり、本発明の目的は、キャンバスが張り留められる組立て枠を角部材及び周縁部材で構成してこれらが嵌合して組み上げられるようにした組立式油絵額を提供することである。
【課題を解決するための手段】
【０００６】
本発明は、キャンバスを嵌め込んで展示するための枠構造の額縁であって、前記キャンバスが着脱自在に嵌め込まれる矩形の組立て枠と、前記組立て枠に形成されて前記キャンバスを支持する額棹（額縁の枠になる棹材、モールディングとも呼ぶ。）部材と、を備え、前記組立て枠は、前記キャンバスの四隅に配置される角部材と、前記組立て枠が矩形の枠状に形成されるように前記角部材同士を継合する周縁部材と、からなり、前記角部材及び前記周縁部材は中空の管状に形成され、前記額棹部材は、前記角部材に形成される角額棹及び前記周縁部材に形成される周縁額棹からなり、前記角額棹は前記角部材と一体に形成され、前記周縁額棹は前記周縁部材と一体に形成され、前記周縁額棹の高さは、前記角部材の壁面の厚さに見合う分だけ前記角額棹の高さよりも大きく形成されて、前記角部材に前記周縁部材を嵌め込むときに前記周縁額棹の上面と前記角部材の角額棹の上面とが同じ線上に配置されるようにすることを特徴とする。
【０００７】
一方、本発明は、キャンバスを嵌め込んで展示するための枠構造の額縁であって、前記キャンバスが着脱自在に嵌め込まれる矩形の組立て枠と、前記組立て枠に形成されて前記キャンバスを支持する額棹部材と、を備え、前記組立て枠は、前記キャンバスの四隅に配置される角部材と、前記組立て枠が矩形の枠状に形成されるように前記角部材同士を継合する周縁部材と、を備え、前記角部材及び前記周縁部材は中空の管状に形成され、前記額棹部材は、前記角部材に形成される角額棹及び前記周縁部材に形成される周縁額棹を備え、前記角額棹は前記角部材と一体に形成され、前記周縁額棹は前記周縁部材と一体に形成され、前記角部材は、内側を向く面から角部まで開放される角開放部を形成することにより、前記周縁部材が内側に嵌入するとき、前記周縁額棹が前記角開放部を介して外側に露出されるようにすることを特徴とする。
【発明の効果】
【０００８】
本発明に係る組立式油絵額は、キャンバスが張り留められる組立て枠を角部材及び周縁部材で構成してこれらが嵌合して組み上げられるようにし、組立て枠に張り留められたキャンバスを支持するように角部材に角額棹を形成し、周縁部材に周縁額棹を形成してキャンバスを支持するとともに、角部材及び周縁部材を中空の管構造に形成して軽量化を図って保管及び移動を手軽に行うことができ、切断し易く、別途の道具なしに手軽に切断及び組立てを行うことができるという効果がある。
【０００９】
また、本発明に係る組立式油絵額は、周縁額棹の別途のカットを不要にすることができ、簡単な嵌合操作だけで額縁に組み上げることができ、これにより、ユーザーが作業を行うときに手の甲が怪我をすることを防ぐことにより、安全な組立て作業を行うことができ、強固な組立てを行うことができる他、組立て公差が縮小されることから、組立て品質を高めることができるという効果がある。
【図面の簡単な説明】
【００１０】
【図１】本発明の油絵額を示す図。
【図２】本発明の油絵額の角部材を示す図。
【図３】本発明の油絵額の周縁部材を示す図。
【図４】本発明の油絵額において、周縁額棹の一部を切断する過程を示す図。
【図５】本発明の油絵額において、角部材及び周縁部材に額棹部材が係合される過程を示す図。
【図６】本発明の油絵額において、角部材及び周縁部材が係合された状態を示す図。
【図７】本発明の油絵額において、周縁額棹及び角額棹の高さを示す図。
【図８】本発明の油絵額にキャンバスが張り留められた状態を示す図。
【図９】本発明の油絵額の他の実施形態を示す図。
【図１０】本発明の油絵額の更に他の実施形態を示す斜視図。
【図１１】本発明の油絵額の更に他の実施形態において、角部材及び周縁部材が係合される過程を示す斜視図。
【図１２】本発明の組立式油絵額の更に他の実施形態において、角部材及び周縁部材が係合された状態を示す斜視図。
【図１３】本発明の組立式油絵額の更に他の実施形態において、角部材及び周縁部材が係合された状態を示す断面図。
【発明を実施するための形態】
【００１１】
以下、添付図面に基づいて、本発明の組立式油絵額の好適な実施形態について説明する。
【００１２】
本発明に係る組立式油絵額１０は、キャンバスを嵌め込んで展示するための枠構造の額縁であって、キャンバスは、木材製や合成樹脂材製の矩形の枠の片面を布で覆った後、布に絵画を描いたものであり、主として壁面に据え置きされて展示される。
【００１３】
組立て枠２０は、前記キャンバスを着脱自在に嵌め込んで固定するものであって、組立て枠２０は、前記キャンバスの四隅に配置されるアングル構造の角部材２１と、前記組立て枠２０が矩形の枠状に形成されるように前記角部材２１同士を継合する周縁部材２２と、からなる。前記角部材２１は四つ配置され、前記周縁部材２２もまた、前記角部材２１同士を継合して四つが係合される。
【００１４】
前記角部材２１及び前記周縁部材２２は、中空の管状に形成される。
【００１５】
前記角部材２１及び前記周縁部材２２を中空状に形成することから、中実の構造に比べて軽量化を図ることができて、材料を節減することができ、自重により固定された壁面から落下するという問題が生じなくなり、切断し易く、しかも、別途の道具なしに手軽に切断及び組立てを行うことが可能になる。
【００１６】
角部材２１及び周縁部材２２は、外側に三角形状の断面を有する突出部を形成してユーザーに審美感を与える。
【００１７】
前記角部材２１及び前記周縁部材２２は紙材により形成されるが、合成樹脂材又は金属材により形成されてもよい。
【００１８】
前記角部材２１の内側面には係止溝を形成し、前記周縁部材２２の端部の外面には係合溝を形成して、前記係合溝に弾性リングの一部が嵌まり込んだ後、突出した弾性リングが前記係止溝に嵌め込まれるようにすることで、弾性により互いに固定されるようにすることが好ましい。
【００１９】
前記組立て枠２０には、壁面に据え置き可能なように環を設けることが好ましい。
【００２０】
前記組立て枠２０は、キャンバスの大きさに合わせて前記周縁部材２２を切断して前記組立て枠２０の大きさを前記キャンバスに合わせた後、前記キャンバスを前記組立て枠２０に嵌め込んで固定する。
【００２１】
図９に示すように、前記周縁部材２２には所定の間隔を隔てて切取り線が更に形成されて、前記切取り線に沿って切断して手軽に周縁部材２２の長さを短くすることが可能になる。前記周縁部材２２の片面には長手方向に沿って目盛寸法が表示されて、キャンバスの大きさに合わせて正確に周縁部材２２を切断できるようにすることが好ましい。
【００２２】
前記額棹部材３０は、前記組立て枠２０に形成されて前記組立て枠２０に嵌め込まれた前記キャンバスを支持し、前記角部材２１に形成される角額棹３１及び前記周縁部材２２に形成される周縁額棹３２からなる。
【００２３】
前記組立て枠２０は、前記角部材２１に前記周縁部材２２が嵌め込まれた後、前記角部材２１の角額棹３１及び前記周縁部材２２の周縁額棹３２を互いに接着してなる。
【００２４】
前記角額棹３１及び前記周縁額棹３２は接着剤により貼り合わせられるが、テープにより互いに固定してもよい。
【００２５】
額棹部材３０は、嵌め込まれたキャンバスの前面部を支持して外部に抜脱されることを防ぎ、キャンバスの背面部は、壁面に据え置きするときに壁面に支持されて前記組立て枠２０から抜脱されることが防がれる。前記組立て枠２０に嵌め込まれたキャンバスが抜脱されることを防ぐために、組立て枠２０の背面部に回動自在にフックを設けることが好ましい。
【００２６】
図７を参照すると、前記周縁額棹２２の高さＨは、前記角部材２１の壁面の厚さに見合う分だけ前記角額棹３１の高さｈよりも大きく形成されて、前記角部材２１に前記周縁部材２２を嵌め込むとき、前記周縁額棹３２の上面及び前記角部材２１の角額棹３１の上面が同じ線上に配置されるようにすることで、額棹部材３０を段付き状に形成するとき、ユーザーの衣服やその他の物品に引っ掛かって据え置きされた額縁が落下してしまうという問題が発生せず、見栄えがよくなる。
【００２７】
前記角額棹３１は前記角部材２１と一体に形成され、前記周縁額棹３２は前記周縁部材２２と一体に形成され、接着や融着により固定してもよい。
【００２８】
また、前記額棹部材３０により前記角部材２１が前記周縁部材２２の強度を高め、撓むことを防ぐことができる。
【００２９】
図１０から図１２は、本発明の組立式油絵額の更に他の実施形態を示すものである。
【００３０】
図１０から図１２を参照すると、本発明の更に他の実施形態による組立式油絵額は、キャンバスを嵌め込んで展示するための枠構造の額縁であって、前記キャンバスが着脱自在に嵌め込まれる矩形の組立て枠４０と、前記組立て枠４０に形成されて前記キャンバスを支持する額棹部材５０と、を備え、前記組立て枠４０は、前記キャンバスの四隅に配置される角部材４１と、前記組立て枠４０が矩形の枠状に形成されるように前記角部材４１同士を継合する周縁部材４２と、からなり、前記角部材４１及び前記周縁部材４２は中空の管状に形成され、前記額棹部材５０は、前記角部材４１に形成される角額棹５１及び前記周縁部材４２に形成される周縁額棹５２からなり、前記角額棹５１は前記角部材４１と一体に形成され、前記周縁額棹５２は前記周縁部材４２と一体に形成される。
【００３１】
周縁額棹５２は、前記周縁部材４２の角部から隣りの側面と同じ平面をなすように外側に延設されてもよい。したがって、外観を単純化させてキャンバスなどへの集中度を高め、これにより、作品を目立たせることができる。周縁部材４２は、上記の隣りの側面が短辺に相当する側面であってもよく、周縁部材４２及び角部材４１は直方体の横断面を有してもよく、これにより、直方体の中空部材からなって嵌合可能になる。したがって、このような周縁部材４２及び角部材４１の構造により、外側から視認される組立て枠４０の周縁の幅が狭まるとともに、強度の増大が有利に図られ得る。
【００３２】
図１１から図１３を参照すると、角部材４１は、内側を向く面から角部まで開放される角開放部４３を形成することにより、前記周縁部材４２が内側に嵌入するとき、前記周縁額棹５２が前記角開放部４３を介して外側に露出されるようにできる。したがって、角部材４１は、中空の内側に周縁部材４２が嵌合するとき、周縁額棹５２が角部材４１との干渉を避けるように角開放部４３を介して外側に露出されるようにすることで、周縁額棹５２などの切断や変更なしに角部材４１及び周縁部材４２を手軽に組み合わせることができ、これにより、周縁額棹５２の別途のカットを不要にすることができ、簡単な嵌合操作だけで額縁に組み上げることができ、これにより、ユーザーが作業を行うときに手の甲が怪我をすることを防ぐことにより、安全な組立て作業を行うことができる。
【００３３】
角額棹５１は、前記角開放部４３の角部側の端部から隣りの側面と同じ平面をなすように外側に延設されることにより、前記角開放部４３を介して外側に露出される前記周縁額棹５２と重なり合わせてもよい。したがって、周縁額棹５２において角額棹５１と重なり合う部分が角額棹５１と干渉することをなくしながらも、重なり合いによる補強効果を得ることができ、これにより、強固な組立てを行うことができるだけではなく、組立て公差が縮小されることから、組立て品質を高めることができる。
【００３４】
角部材４１には、内側に向かって直交する両側面を結ぶために、直角三角形の平断面を有する角補強部４４が設けられれてもよい。したがって、角補強部４４により角部材４１が外力などに起因するねじれなどの変形が抑えられ、これにより、優れた耐久性を有することができる。
【符号の説明】
【００３５】
１０  油絵額
２０  組立て枠
３０  額棹部材
２１  角部材
２２  周縁部材
２２１  切取り線
３１  角額棹
３２  周縁額棹
４０  組立て枠
４１  角部材
４２  周縁部材
４３  角開放部
４４  角補強部
５０  額棹部材
５１  角額棹
５２  周縁額棹
【図１】
2019118537.tif 000003
【図２】
2019118537.tif 000004
【図３】
2019118537.tif 000005
【図４】
2019118537.tif 000006
【図５】
2019118537.tif 000007
【図６】
2019118537.tif 000008
【図７】
2019118537.tif 000009
【図８】
2019118537.tif 000010
【図９】
2019118537.tif 000011
【図１０】
2019118537.tif 000012
【図１１】
2019118537.tif 000013
【図１２】
2019118537.tif 000014
【図１３】
2019118537.tif 000015